(57)【要約】  身体側表面（２６）、衣類側表面（２８）及び吸収性構造体（１５）を備える、体液を収集するための使い捨て衛生物品（１０）。物品は、第一態様では、ｉ）実質的に白色であってよい中心流体獲得領域（１２１）と、ｉｉ）中心領域の一側に位置する視覚的に識別可能な第一外側領域（１６１）と、ｉｉｉ）中心領域の他側に位置する視覚的に識別可能な第二外側領域（１８１）とを備え、第一及び第二外側領域（１６１、１８１）は、着色色素を含む不織布材料（１６、１８）により形成される。第二態様では、吸収性構造体は勾配コアであり、外側領域は疎水性である。
2009532165.tif 000002
【特許請求の範囲】
【請求項１】
体液を収集するための吸収性衛生物品（１０）であって、前記物品が身体側表面（２６）、衣類側表面（２８）及び前記身体側表面と前記衣類側表面の間に位置する吸収性構造体（１５）を備え、
前記身体側表面が、
ｉ）中心流体獲得領域（１２１）と、
ｉｉ）前記中心流体獲得領域の一側に位置する視覚的に識別可能な第一外側領域（１６１）と、
ｉｉｉ）前記中心流体獲得領域の他側に位置する視覚的に識別可能な第二外側領域（１８１）と、を備え、
前記第一及び第二外側領域（１６１、１８１）がそれぞれ着色色素を含む不織布材料（１６、１８）により形成されることを特徴とする、吸収性衛生物品。
【請求項２】
前記中心流体獲得領域が実質的に白色である、請求項１に記載の吸収性衛生物品。
【請求項３】
前記第一及び第二外側領域が、少なくとも部分的に前記吸収性構造体上に位置する、請求項１又は２に記載の物品。
【請求項４】
前記身体側表面の長さが、長手方向中心線（Ｌ）により概念的に二等分され、前記中心流体獲得領域は、前記第一外側領域が長手方向中心線（Ｌ）の一側上にあるとともに前記第二外側領域が他側にあるように、前記長手方向中心線（Ｌ）を包含する、請求項１〜３のいずれか一項に記載の物品。
【請求項５】
前記身体側表面の幅が、横方向中心線（Ｔ）により概念的に二等分され、前記流体獲得領域は、前記第一外側領域が横方向中心線（Ｔ）の片側上にあるとともに前記第二外側領域が他の側にあるように、前記横方向中心線（Ｔ）を包含する、請求項１〜３のいずれか一項に記載の物品。
【請求項６】
前記外側領域を形成する前記不織布材料が、７４５ｎｍで測定した場合、少なくとも５０％の不透明度指数を有する、請求項１〜５のいずれか一項に記載の物品。
【請求項７】
前記不織布材料が疎水性であり、好ましくは前記不織布材料が、ポリエチレン、ポリプロピレン、ポリアミド類及びこれらの混合物から選択されるポリマーで製造される繊維を含む、請求項１〜６のいずれか一項に記載の物品。
【請求項８】
好ましくは前記色素がポリプロピレンの芯部に存在する場合、前記不織布材料が、ポリプロピレンの芯部とポリエチレンの鞘部とを含む二成分繊維で製造される、請求項１〜７に記載の物品。
【請求項９】
前記視覚的に識別可能な第一及び第二外側領域（１６１、１８１）が前記物品（１０１、１０２）の周辺部に延在する、請求項１〜８のいずれか一項に記載の物品。
【請求項１０】
前記吸収性構造体が勾配コアを含む、請求項１〜９のいずれか一項に記載の物品。
【請求項１１】
体液を収集するための吸収性衛生物品（１０）であって、前記物品が身体側表面（２６）、衣類側表面（２８）及び前記身体側表面と前記衣類側表面の間に位置する吸収性構造体（１５）を備え、
前記身体側表面が、
ｉ）中心流体獲得領域（１２１）と、
ｉｉ）前記中心流体獲得領域の一側に位置する視覚的に識別可能な第一外側領域（１６１）と、
ｉｉｉ）前記中心流体獲得領域の他側に位置する視覚的に識別可能な第二外側領域（１８１）と、を備え、
前記第一及び第二外側領域（１６１、１８１）が不織布材料（１６、１８）で製造され、前記第一及び第二外側領域が少なくとも部分的に前記吸収性構造体（１５）上に位置し、
前記吸収性構造体が勾配コアを含むことを特徴とする、吸収性衛生物品。
【請求項１２】
前記中心流体獲得領域が実質的に白色である、請求項１１に記載の吸収性衛生物品。
【請求項１３】
前記身体側表面の長さが、長手方向中心線（Ｌ）により概念的に二等分され、前記中心流体獲得領域が、前記第一外側領域が長手方向中心線（Ｌ）の一側上にあるとともに前記第二外側領域が他側にあるように、前記長手方向中心線（Ｌ）を包含する、請求項１１又は１２に記載の物品。
【請求項１４】
前記身体側表面の幅が、横方向中心線（Ｔ）により概念的に二等分され、前記中心流体獲得領域が、前記第一外側領域が横方向中心線（Ｔ）の一側上にあるとともに前記第二外側領域が他側にあるように、前記横方向中心線（Ｔ）を包含する、請求項１〜１３のいずれか一項に記載の物品。
【請求項１５】
前記不織布材料が、７４５ｎｍで測定した場合、少なくとも５０％の不透明度指数を有する、請求項１１〜１４のいずれか一項に記載の物品。
【請求項１６】
前記視覚的に識別可能な第一及び第二外側領域（１６１、１８１）が前記物品（１０１、１０２）の周辺部に延在する、請求項１１〜１５のいずれか一項に記載の物品。
【請求項１７】
前記勾配コアが、
−前記着用者側表面を形成する第一最外層であって、二成分繊維及びセルロース又はビスコース繊維の混合物、好ましくは非軟化セルロース繊維から提供され、前記第一層がコア構造全体の１０〜３０％の重量分率を有する第一最外層と、
−前記コアの前記衣類側表面を形成する第二最外層であって、前記第二層が、コア全体の３０〜５０％の重量分率を有する軟化剤処理セルロース繊維、及び前記コアの前記衣類側表面上の表面結合剤であって前記コアの０〜２重量％の量の表面結合剤、好ましくはラテックスにより提供される第二最外層と、
−前記第一及び第二層の間に挟まれた少なくとも１つの内層であって、前記内層が、非軟化セルロース繊維、所望により二成分繊維を含み、さらに超吸収性材料を含み、前記内層がコア全体の３０％〜５０％の重量分率を有する内層と、を備える、請求項１１〜１６のいずれか一項に記載の物品。
【発明の詳細な説明】
【技術分野】
【０００１】
本発明は、体液を収集するための吸収性衛生物品、特に一般に生理用ナプキンと呼ばれる種類の婦人衛生物品に関する。請求の物品は、その身体側表面上に、ｉ）実質的に白色であってよい中心流体獲得領域及びｉｉ）２つの不織布外側領域を備える。
【背景技術】
【０００２】
婦人衛生物品は、月経期間中の女性によって用いられ、膣から排出された血液を受容及び収容する。経血の収集に加えて、これらの吸収性生理用物品を使用して、ユーザの軽い失禁の場合の尿のような他の体液から着用者の下着を保護することもできる。これらの物品は、一般に平坦であり、身体側表面、対向する衣類側表面及び、その間に位置する通常吸収性コアと呼ばれる吸収性構造体を含む。物品の身体側表面は、まず体液の流動に曝露され、これは次いで吸収性構造体に吸収及び誘導される。物品の衣類面側は、通常、少なくとも１つの流体不透過性層を含み、流体の吸収性構造体から衣類への漏出を防ぐ。
【０００３】
従来、婦人衛生物品の身体側表面全体が、内部の吸収性構造体に流体を入れる又は導く液体透過性トップシートで製造されるのが一般的であった。最近になって、中心獲得層の側面に異なる材料の外側外層が位置する、いわゆる「ハイブリッド」トップシートが提案されている。例えば、国際公開第９３／０９７４４号（プロクター＆ギャンブル（Procter & Gamble））には、中心領域に位置する開口部を有する不織布外層及び該外層の真下に位置する有孔熱可塑性フィルム層を備える吸収性物品が開示されている。このトップシートは、ユーザの感触及び快適性を向上させると言われている。米国特許第５，５３３，９９１号及び欧州特許出願公開第５２３，６８３号（ともにキンバリークラーク（Kimberly-Clark））には、本体側カバー上に２種の異なる材料を含む吸収性物品が開示されている。
【０００４】
しかしながら、これらのハイブリッドトップシートの成分は、単一色相、通常白色でのみ提案されている。国際公開第０２／０７６６２号（プロクター＆ギャンブル（Procter & Gamble））には、従来の白色製品に対する例外が見られ、そこには暗色の生理用ナプキン又はパンティライナーのような吸収性物品が提案されている。しかしながら、これらの物品の表面は全体的に黒色であり、消費者がこの部類の婦人衛生物品に対して見出すことを期待する従来の白色の外観を有しない。中心領域とは異なる色相の外側領域を有するハイブリッドトップシートは開示されていない。具体的には、国際公開第０２／０７６６２号のようにトップシートの全表面ではなく、トップシートの選択された部分のみに着色（非白色に着色されたことを意味する）色素を使用することは、先行技術では提案されていない。
【０００５】
生理用物品の特性を改善する多数の試みの中でも、物品の選択された部分上に特定の組成物を適用することも提案されている。例えば、国際公開第０２／０７６３３９号（パラゴン・トレード・ブランズ（Paragon Trade Brands）には、物品の身体側表面上に疎水性漏出保護領域を有する吸収性物品が開示されている。疎水性物質は、好ましくはカカオバターである。国際公開第２００４／０６０２４２Ａ１号には、トップカバー上にバリア物質材料の離間する沈着物のバンドを有する婦人用ケア製品が開示されている。バンドは、体液の側方流動に対して流体バリアとして作用すると言われている。
【０００６】
過去に、着色組成物を吸収性物品のトップシートの外側領域に適用することが提案されているが、着色組成物を正確な方法で物品の吸収体上に適用又は印刷することは、特に色が直線以外のパターンで適用される場合、依然として技術的に困難である。これは、少なくとも、高速製造ラインを継続的に監視し、適用時に組成物の偶発的な置き違いの原因となる、印刷中に発生する可能性のある機械方向又は機械横方向の不可避な変位を検出及び修正することが困難且つ費用のかかる可能性があるためである。
【０００７】
吸収性物品の進行中の開発の別の態様では、従来の薄層コアの代わりに勾配コアを使用することが提案されている。勾配吸収コア材料（本明細書では「勾配コア」）は、コア表面の頂部から底部へ流体を急速に吸収し、次いで水平面方向に分配するよう設計される。これは、通常、速く流体を獲得するために垂直方向に異方性である一体型多層構造体により達成される。材料層密度及び平均孔経は、コアの頂部から底部へ向かって減少し、コアの底部に体液を追いやる。勾配コアの典型的な例は、国際公開第００７４６２０号（ＢＫＩ）に見ることができる。
【０００８】
コア表面における流体衝撃領域（オーレオール）の周囲の染み強度は、従来の薄層コア又は他の吸収性構造体よりいわゆる勾配コアの方が弱いが、流体はコアの厚さに均一に伝わらず、勾配コアの底部に集中するため、染みの大きさは比較的大きな場合がある。勾配コアを使用する際、この染みの大きさの増加を被覆することが望ましい。
【発明の開示】
【発明が解決しようとする課題】
【０００９】
技術の継続的向上により、優れた流体吸収及び保持特性を有する吸収性製品が導かれている。しかしながら、物品の側縁部を通じた体液の漏出及び身体側表面の再湿潤を含む、幾つかの一般的な問題は、依然としてこれらの物品に付随している。再湿潤は、例えば、ユーザの動きによりコア上に及ぼされる圧力により、既に吸収性構造体に吸収された体液が再び現れる際に発生する。
【００１０】
更に、先行技術は漏出防止及び感触の改善に焦点を合わせているが、依然としてより良好な外観を有する吸収性物品に対する必要性が存在する。使用前、経済的且つ実用的な方法で吸収性物品の外観を改善することは有益である。使用後、物品の身体側表面上の染みを被覆する又は染みの大きさを減少させることは有益である。
【課題を解決するための手段】
【００１１】
発明者らは、先行技術の幾つかの欠点が現在請求の物品により対処できることを見出した。本発明は、婦人用パッド又はライナーのような、しかしこれらに限定されない吸収性衛生物品を目的とする。物品は、身体側表面、衣類側表面、及び該身体側表面と該衣類側表面との間に位置する吸収性構造体を含む。かかる物品の身体側表面の長さは長手方向中心線Ｌにより、幅は横方向中心線Ｔにより概念的に（即ち、物理的にではなく）二等分することができる。
【００１２】
本発明の第一態様では、物品の身体側表面は、
ｉ）実質的に白色であってよい中心流体獲得領域と、
ｉｉ）中心流体獲得領域の一側に位置する視覚的に識別可能な第一外側領域と、
ｉｉｉ）中心流体獲得領域の他側に位置する視覚的に識別可能な第二外側領域と、を備え、
第一及び第二外側領域は着色色素を含む不織布材料で製造される。一実施形態では、第一及び第二外側領域は、少なくとも部分的に吸収性構造体上に位置する。また、外側領域を形成する不織布材料は、下層の染みをある程度被覆することができるのに十分な程不透明であってよい。
【００１３】
本発明の第二態様では、物品の吸収性構造体は、勾配コア及び
ｉ）実質的に白色であってよい中心流体獲得領域と、
ｉｉ）中心流体獲得領域の一側に位置する第一疎水性外側領域と、
ｉｉｉ）中心流体獲得領域の他側に位置する第二疎水性外側領域と、を備える、物品の身体側表面を含み、又はこれらからなり、
該第一及び第二疎水性外側領域は疎水性不織布材料で製造される。一実施形態では、疎水性不織布材料は色素、好ましくは着色色素を含有し、多少の不透明性を有し、下層の染みをある程度被覆する。
【００１４】
両方の態様では、中心流体獲得領域は長手方向中心線又は横方向中心線を包含してよい。
【００１５】
無論、本発明の実施形態は、本発明の第一態様及び第二態様の特徴を有利に組み合わせてよい。
【発明を実施するための最良の形態】
【００１６】
定義
明示的に別段の定めをした場合を除き、「含む」「備える」という用語はオープンエンドであると解釈すべきであり、これは、それらが吸収性衛生物品で用いるのに好適である限り、他の特徴、工程又は成分を加えてよいことを意味する。
【００１７】
本明細書で使用する時、「吸収性衛生物品」とは、経血、尿、糞便又は血液のような体液を収集するために外部に着用される吸収性物品の種類を指し、乳幼児用おむつ、失禁用ブリーフ、失禁用パッド、トレーニングパンツ、おむつ用挿入物、パンティライナー、生理用パッド、生理用ナプキン、月経パッド、タンポン、包帯、外科包帯等が挙げられる。「使い捨て」という用語は、再使用のために洗浄されることなく、通常、使用後廃棄される物品を指す。請求の物品は、好ましくは使い捨てである。
【００１８】
「婦人衛生物品」という用語は、通常月経及び／又は軽い失禁制御のために女性によって外部に着用される吸収性衛生物品の種類を指す。これらの物品は、一般にパッド、パンティライナー、ライナー、生理用ナプキン又は生理用タオルと呼ばれる。これらの物品は、一般に平面を有し、典型的には、その上に物品が接着剤又は他の接合手段を介して固定されるユーザの下着により、ユーザの股部（即ち、恥骨部）に隣接する所定の位置に保持される。以下では、本発明は主に使い捨て婦人衛生物品として例示されるが、おむつ又は創傷用包帯のような他の種類の使い捨て衛生物品にもまた適用可能である。
【００１９】
「身体側表面」という用語は、使用時ユーザの身体に面する吸収性物品の面を指す。「衣類側表面」は、物品の対向する表面である。
【００２０】
「長手方向中心線」という用語は、物品の長手方向側縁部（図３に表されたように左及び右）の間の中心となる想像線を指し、これは一般に左及び右半身に立位の着用者を二分する垂直面と整列する。長手方向中心線は、図面上で線Ｌにより表される。長手方向中心線は、概念的に物品を二等分する。概念的とは、長手方向中心線が通常物品中に物理的に存在しない又は可視ではないことを意味する。
【００２１】
「横方向中心線」という用語は、身体側表面の平面における長手方向中心線に対して垂直であり、長手方向中心線上で測定した場合、物品の長さの中央でそれと交差する想像線を指す。横方向中心線は、概念的に物品を二等分する。概念的とは、横方向中心線が通常物品中に物理的に存在しない又は可視ではないことを意味する。
【００２２】
吸収性物品１０
図１は、本発明による代表的な吸収性物品１０の身体側表面の斜視図を示し、本明細書では典型的なライナー構造の婦人衛生物品として表される。本発明の物品は、通常、概して平坦な身体側表面を有するが、ユーザの身体に適合するよう湾曲してよく、一般にユーザの骨格に適合するよう可撓性である。しかしながら、本発明の婦人衛生物品は特定のデザインの構造に限定されない。
【００２３】
本発明の物品の寸法は、当該技術分野で既知である目的の用途に適合する。例えば、パンティライナー（ライナー）は、一般にパッドより小さく且つコンパクトである。吸収性物品の厚さは、通常約２ｍｍ〜約５０ｍｍの範囲である。薄型生理用ナプキン物品は、約６ｍｍ未満又は更に約４ｍｍ未満の厚さを有する場合がある。
【００２４】
物品の長手方向中心線Ｌに沿った物品の長さは、典型的には１０ｃｍ〜２５ｃｍ、より典型的には１２ｃｍ〜２１ｃｍであってよい。横方向中心線に沿った物品の幅は、典型的には３〜１０ｃｍ、より典型的には４〜７ｃｍであってよい。典型的には、ライナーの身体面側面の総表面積は５０〜１５０ｃｍ２、パッドは６０〜２００ｃｍ２であり、おむつは更に大きい。標準的なライナーの典型的な表面積は８０ｃｍ２前後であってよい。これらの及び他の種類の吸収性生理用物品の標準的な寸法は、当該技術分野で既知であるように目的の用途に応じて異なる場合があるため、これらの寸法は全て、単に指標であって限定するものではない。
【００２５】
図２は、図１の代表的な実施形態の様々な構成要素又は層を示す。本発明の物品は、トップシート１２、バックシート１４、及びトップシート１２とバックシート１４との間に位置する吸収性構造体１５を備える。表したように、トップシートは物品の身体側表面の中心流体獲得領域を形成し、一方バックシートは衣類側表面を形成することができる。不織布材料１６、１８の２つのストリップは、長手方向中心線の各側上に配置され、本発明の第一外側領域１６１及び第二外側領域１８１を形成する。第二トップシート２０及び／又は第二バックシート２２のような、物品の性能を向上させるためのさらなる追加構成要素を使用してもよく、それらは図中に表されている。物品はまた剥離紙２４を備えてもよい。
【００２６】
吸収性衛生物品は通常、長手方向中心線が物品を２つの実質的に対称な半分（エンボス加工又は印刷模様のような可能性のある装飾にかかわらず）に分割するように、長手方向中心線に対して実質的に対照である。しかしながら、これは好ましいが、必ずしもそうである必要はなく、例えば、互いに対して片寄るウイングを備える婦人用物品を使用することが提案されている。
【００２７】
身体側表面２６
本発明の物品は、概して平坦な身体側表面２６を有し、これは通常着用時にユーザの身体と接触し少なくとも部分的に入る場合がある。物品の身体側表面は、実質的に白色であってよい中心流体獲得領域１２１並びに第一外側領域１６１及び第二外側領域１８１を備える。物品の身体側表面は、有利にエンボス加工される。エンボス加工２８は、連続又は非連続であってよく、好ましくは物品の数層を結合させる。図２〜３に図示したように、エンボス加工２８は外側トップシートストリップ１６、１８をトップシート１２及びその下の第二トップシートストリップ２０に有利に結合させる。エンボス模様は、好ましくは外側トップシートストリップ１６、１８と少なくとも部分的に重なる。
【００２８】
中心流体獲得領域１２１
本発明の物品は、中心流体獲得領域１２１を有し、これは実質的に白色であってよい。実質的に白色とは、中心流体獲得領域が、婦人衛生物品又は失禁用製品のような考えられる範疇の物品の、典型的な白色外観を有することを意味する。消費者は、この白色外観を清浄度及び衛生度と結び付ける。「実質的に白色」とは、中心流体獲得領域の広い部分、典型的には表面の少なくとも３０％又は少なくとも５０％が白色である限り、印刷された装飾を含む中心流体獲得領域を有する物品を提供することが一般的になっているように（例えば、欧州特許出願公開第１，２９５，７１１号を参照のこと）、中心流体獲得領域の表面全体が白色である必要のないことを意味しない。中心流体獲得領域は、通常、体液を吸収性構造体内に導く前に体液の大部分を受容し、身体側表面の表面の少なくとも２５％を示す。中心流体獲得領域の表面は、典型的には、物品の身体側表面の総表面の３０％〜７０％を示す。
【００２９】
中心流体獲得領域は、長手方向中心線Ｌ（図３に例示的に示したように）又は横方向中心線Ｔ（図５のように）を部分的に又はその全体を包含してよい。これらの軸の少なくとも１本の長さの少なくとも５０％が、中心流体獲得領域内に包含されることが好ましい場合がある。
【００３０】
図３に図示したように、中心流体獲得領域は恐らく物品のトップシート層１２により形成されてよい。任意の従来のトップシート材料を本明細書で使用してよい。トップシートは、着用者の身体と接触し、体からの排出物を主に受容する物品の層である。トップシートは液体透過性であり、可撓性且つ皮膚に対して非刺激性であってよい。「液体透過性」という用語は、本明細書で使用する時、それを通るかかる液体の透過を著しく遅延させる又は妨害することなく、それを通る液体を通過させる構成要素を指す。本明細書で使用する時、「可撓性」という用語は、本体の形状に対応及び容易に適合する、又は外力の存在下で容易に変形することにより応答する材料を指す。構成要素は、かかる構成要素がかかる液体を透過するだけでなく、かかる構成要素上に沈積した液体の一部を保持することができる場合、吸収性であると見なされる。
【００３１】
任意の従来のトップシート材料を、本発明の範囲内で使用してよい。トップシートは衛生的で外観が清浄であり、好ましくは雑音が少なく、着用者に裁量を提供すべきである。好適なトップシートは、不織布材料又は有孔ポリオレフィン性フィルムから製造することができる。
【００３２】
必要に応じて、トップシートを界面活性剤とともに噴霧し、コアへの液体透過を促進してよい。トップシート及び特に中心流体獲得領域は、従って、有利に親水性であってよい。トップシートは、典型的には、非イオン性であり、皮膚に対して非刺激性であるべきである。トップシート領域の界面活性剤密度は通常、約０．０１ｍｇ／ｃｍ２が好適である。好適な界面活性剤は、グリコ・ケミカル社（Glyco Chemical, Inc.）（グリニッチ（Greenwich）、コネチカット州）によりペゴスパース（Pegosperse）２００ＭＬとして販売されている。
【００３３】
トップシートは複数の開口部を有し、その上に沈積した液体をコアへ通過させてもよい。約５〜約５０％、典型的には約２５％の開口領域並びに、開口前約０．０１〜約０．０５ｍｍ、開口後約０．４２〜約０．５１ｍｍの厚さを有する有孔ポリオレフィン性フィルムトップシートが通例である。
【００３４】
本明細書での使用に特に好適な有孔トップシートは、不織布トップシートである。好適な不織布材料／層は、カーディング処理又はスパンボンド処理又はメルトブローン処理によって形成され、それにより溶融した高分子材料がダイを通して押出成形され、押出成形されたポリマーを繊維に細く引き延ばし、その直径を減少させ、続いて形成面に堆積させる繊維性不織布材料／層を含む。かかる不織布材料／層の形成方法は、当業者に既知である。かかる繊維性不織布材料／層の形成に使用するのに好適な高分子材料としては、ポリエチレン及びポリプロピレンのようなポリオレフィン類、ポリエステル類、ナイロン類、エチレンビニルアセテート、エチレンメタクリレート、上記材料のコポリマー類、スチレン及びブタジエンのＡ−Ｂ−Ａブロックコポリマー類のようなブロックコポリマー類等が挙げられる。
【００３５】
上記のように、中心流体獲得領域は実質的に白色であってよい。基材の「白色度」は、シーラブ（CIELAB）カラースケールのＬ＊、ａ＊、ｂ＊値を用いて定量化することができる。つまり、このスケールでは、Ｌ値は明度を規定し、０が完全に黒色、１００が完全に白色である０〜１００の範囲である。シーラブスケールの説明は、以下の実験の項に詳細に示されている。中心流体獲得領域は、一実施形態では、物品の中心流体獲得領域上で直接測定する際、少なくとも９０以上（例えば、少なくとも９５、又は更に少なくとも９７）のＬ＊ハンター値を有する場合があり、各ａ＊及びｂ＊の絶対値は好ましくは１未満、又は更に０．５未満である。中心領域が着色装飾を有する場合、これらの値は中心領域の非装飾空間で測定される。
【００３６】
外側領域（１６１、１８１）
本発明の物品は、第一外側領域１６１及び第二外側領域１８１を備え、各外側領域は中心流体獲得領域の対向する側面上に定置されている（例えば、図３に表したように、上から見た際、第一領域は物品の「左」半分上に、第二領域は物品の「右」半分上に）。外側領域１６１、１８１は、中心流体獲得領域１２１を形成する材料とは異なる不織布材料で製造される。外側領域は、好ましくは少なくとも部分的に吸収性構造体１５上に位置する。「上」とは、吸収性構造体上にある、より高い垂直位を意味する。外側領域と吸収性構造体との間に１以上の中間層が存在してよく、外側領域は吸収性構造体に直接接触する必要はない。例えば、図１〜２に表したように、トップシート及び第二トップシートは、外側領域と吸収性構造体の中間に位置してよい。これらの図に表したように好ましい実施形態では、外側領域は物品の周辺部、特に物品の周辺部の外側側縁部に延在する。両方の外側領域は、美観的及び経済的理由のために同一材料で製造することが有利であるが、異なる材料を使用してもよい。
【００３７】
外側領域は、カーディング熱的接着、スパンボンド、水流交絡、メルトブローンのような任意の従来の不織布材料で、ポリプロピレン、ポリエチレン、ポリエステル、レーヨン、綿及び混合型、又は一成分、二成分繊維の形態のような、全範囲の好適な合成又は天然繊維を使用して製造してよい。例えば、ペガスａ．ｓ（チェコ共和国）は、ポリマー比がＰＰ芯部７０％／ＰＥ鞘部３０％である、芯部としてのポリプロピレン（ＰＰ）と、鞘部としてのポリエチレン（ＰＥ）とから製造される二成分繊維に基づいた好適な不織布材料を供給する。色素は、不織布の製造中、繊維のＰＰ芯部内に導入される。
【００３８】
図２に表したように、外側領域は、トップシート層１２の表面に付着する、２つのストリップ材料１６、１８（時に「外側トップシートストリップ」と呼ばれる）によって形成し、例えば、国際公開第９３／０９７４４号（プロクター＆ギャンブル）及び米国特許第５，３３３，９９１号（キンバリークラーク）に記載のようないわゆるハイブリッドトップシートを形成してよい。これらの外側トップシートストリップは、任意の従来の手段、例えば、エンボス加工（例えば、熱接着）、糊付け又は両方の組み合わせにより下部の層に取り付けることができる。
【００３９】
外側領域は、実質的に物品の長手方向側面１０１、１０２の全長に沿って延在する２つの概して平行なストリップの形態をとることができる。図３に表したように、外側領域の外向きに面する縁部１６２、１８２は、その周辺部上で物品の長手方向側面１０１、１０２と隣接してよい。外側ストリップの内向きに面する縁部１６３、１８３は直線であっても、非直線であってもよい。特に内向きに面する縁部は、反復波を含む模様を形成してよい。一実施形態では、この波状模様は、物品の長手方向に広がる波形を有する。正弦波、鋸波、方形波等のような全ての種類の波を使用してよいが、正弦波のような滑らかな、即ち鋭角のない波が好ましい。外側トップシートストリップ１６、１８は、長手方向中心線Ｌ又は横方向中心線Ｔに対して互いに鏡像であってもよく、なくてもよい。
【００４０】
図１に表した実施形態では、中心流体獲得領域は、第一外側領域が長手方向中心線（Ｌ）の一側上にあり、第二外側領域が他の側にあるように、長手方向中心線（Ｌ）を包含する。図５に図示した別の実施形態では、中心流体獲得領域は、第一外側領域が横方向中心線（Ｔ）の一側上にあり、第二外側領域が他の側にあるように、横方向中心線（Ｔ）を包含する。第二実施形態は、生産ラインがいわゆる「β」構成、即ち、物品の長さが機械方向に対して垂直に配向される際、有利である場合がある。
【００４１】
トップシートに不織布材料のストリップを取り付ける以外の構成で、本発明による外側領域を備える物品を提供することも可能である。例えば、バックシートのような下に横たわる層は、英国特許第２，２１４，９０７号（スミス＆ネフュー（Smith & Nephew））又は欧州特許出願公開第５２３，６８３号（キンバリークラーク）に例示されたように、吸収性構造体の周りに折り重ね、これらを提供することができる。外側領域の材料をトップシートの下、例えば、トップシートと第二トップシート又は存在する場合吸収性構造体との間に取り付ける又は折り重ねることも可能であるが、好ましくはない。
【００４２】
本発明の全ての態様では、例えば、吸収性構造体の表面の下に存在する下層の染みを被覆するために、又は所望の外観に提供するために、外側領域が特定の量の不透明度を有することが有利である場合がある。この不透明度は、不織布材料に色素を導入することにより、少なくとも部分的に提供することができる。材料の不透明度は、以下に記載のように測定できる。
【００４３】
本発明の第一態様では、外側領域は中心流体獲得領域と視覚的に識別可能である。発明者らは、着色色素を含む不織布材料を用いることにより、実用的且つ経済的な方法をもたらすこれを達成し、外側領域を形成することが可能であることを見出した。視覚的に識別可能とは、色盲のような視力障害をもたず、両方の眼の視力のよい（１０／１０）ヒトが、平均的な高さの天井にある１００Ｗの白熱電球に照らされた密室において約５０ｃｍの距離で物品を保持した場合、中心獲得領域と対比して外側領域の存在を認識できることを意味する。一実施形態では、外側領域は、外側領域上で測定した場合のａ＊及び／又はｂ＊パラメータの絶対値の少なくとも１つが０．５を超える、又は更に１を超えるように製造してよい。
【００４４】
着色色素は、少なくとも部分的に、実質的に白色であってよい中心獲得領域に視覚的対比を提供する。当該技術分野で既知であるように、色素は、通常溶媒又はそれらが組み込まれる基材に不溶性であり、溶媒又はそれらが組み込まれる基材により実質的に物理的及び化学的に影響を受けない、着色、黒色、白色又は蛍光粒子状有機及び無機固体である。それらは選択的吸収及び／又は光の錯乱により外観を変更させる。「着色色素」という用語は、非白色の色を不織布材料に付与するのに好適な任意の色素を包含する。それ故、この用語は、ＴｉＯ２のような、典型的に従来の生理用物品の層に添加され、それに白色外観を付与する「白色」色素を含まない。着色色素の例はカーボンブラックであるが、パステル範囲のより微妙な色合いを提供する非黒色色素を用いることが好ましい場合がある。
【００４５】
色素は通常、適用のために、例えば、インク、塗料、プラスチック又は他の高分子材料のように溶媒又は基材に分散している。色素は、着色処理の間中結晶又は粒子構造を保持する。色素の物理的及び化学的特徴の結果として、色素及び染料はその用途の点で異なる。染料が適用される場合、それは、後に不溶性になる場合もあり、ならない場合もある可溶性形態で基材に浸透する。色素を用いて基材を着色又は不透明化する際、超微粒子状不溶性固体が着色処理の間中残存する。
【００４６】
配合は、塩基性熱可塑性材料に色又は添加剤を添加することによる典型的な処理である。これは、通常、熱可塑性材料を溶融し、次いでそれを押出成形機内で必要な色素及び／又は添加材料と混合することを含む。ポリマーメルトを、次いで押出成形し、冷却しながらペレットに細断する。これは、次いでプラスチック処理装置により直接用いることができる。関連する処理はマスターバッチである。これは、高濃度の色素及び／又は添加剤が、次いで少量で処理装置により直接使用され得る分散媒に分散し、色素又は未使用の高分子材料を改変するものである。色素は、ペレットで供給される担体（例えば、ポリプロピレン樹脂）に高濃度で添加される。着色マスターバッチは、最終材料に所望の色を得るために必要な追加水準で、不織布線中の未使用樹脂で製造されるマトリクスに混合される。色素は、例えば、ポリプロピレンマスターバッチに導入し、着色二成分不織布を得ることができる。導入され得る好適な「マスターバッチ」材料の例は、パントーン・カラー２７０サニレン・バイオレット（Pantone color 270 Sanylen violet）ＰＰ４２０００６３４（元クラリアント（Clariant））であり、これは高濃度のバイオレット色素を有するＰＰ樹脂である。典型的には、配合後不織布材料に導入される色素の量は、０．３重量％〜２．５重量％であってよい。
【００４７】
外側領域の色は、シーラブ（CIELAB）カラースケールで測定した場合のＬ＊、ａ＊及びｂ＊値により特徴付けることができる。外側領域の色の色相は、美観目的のために、黄色又は赤色領域ではなく青色又は緑色領域で測定され得ることが好ましい場合がある。更に、青色及び緑色に着色した不織布は、下層の血液又は尿の染みをより良く覆い隠すことができる場合があることが見出されている。従って、ｂ＊≦−ａ＊という関係が果たされるようなａ＊及びｂ＊の測定値は、有利である場合がある。この関係はまた、図７に表した水平色円板で報告された角度の値の面からも表すことができる。ω（オメガ）角が０である＋ａ＊軸上の任意の色をとる、ω角が＋９０°である＋ｂ＊軸上の任意の色をとる等、且つｂ＊≦−ａ＊の関係が成り立つ場合は、１３５°〜３１５°のω角を有することに等しい。青色又は薄紫色の色調の色は更により好ましいことが見出されており、そのためにω角は２２０°〜３１０°、より正確には２５７°〜３０２°が好適である。
【００４８】
本発明の第一態様による着色不織布材料で製造される外側領域の存在は、多くの点で有利である場合がある。発明者らは、本発明の第一態様による外側領域が、物品の一層上に組成物を直接印刷するような他の方法に比べて費用効率の高い方式で、視覚的に好ましく、特色のある外観を提供することを見出した。色刷機と生産ラインとの整列を保つ点において起こり得る問題及びインクにより生産ラインに起こり得る汚染のために、外側領域の色刷は、着色不織布外側領域を用いるよりも困難で、費用のかかることが見出されている。更に、それらは下層の吸収性構造体の周辺部を覆い隠し、ユーザへ横漏れ保護が強化された印象を与えるため、着色外側領域は有益である。不織布着色材料を用いることの別の利点は、着色材料が製品の表面に直接存在し、ユーザの皮膚に直接接触して入る可能性のある場合でさえ、物品からユーザの皮膚への色移りが、もしあったとしても、非常に少ないことである。着色色素が繊維の芯部に存在する二成分繊維で製造される不織布材料を使用することは有利であることが見出されている。
【００４９】
本発明の第一態様はまた、使用後の製品の外観が改善された物品も提供する。吸収性構造体の表面上の下層の染みは、着色色素性不織布材料により少なくとも部分的に覆い隠され、従って汚れた製品の外観を改善できることが見出された。上記のように、勾配コアはまず液体をコアの底部に向かって垂直に分配し、次いでそれを水平面に広げることができる。勾配コアは、従来の吸収性構造体よりも、衝撃点の周囲のより大きな表面上に、より低い密度の染みを広げる傾向を有し、本発明の第一態様は、勾配コアがこのオーレオールの一部を被覆する可能性のある吸収性構造体として使用される際、特に有益である。これはまた、非勾配コアが用いられるが、より程度の少ない場合にも当てはまる。
【００５０】
上記で提供された効果を更に改善するために、外側領域１６１、１８１は少なくとも部分的に吸収性構造体１５上にあることが好ましい場合がある。図に表したように、着色不織布材料は、物品の周辺部、特にその外側縁部１０１、１０２からコア１５上に位置する位置へ延在してよい、即ち、コアの少なくとも一部と重なる。
【００５１】
外側トップシートストリップは、撥水特性を有する材料、換言すれば疎水性材料で製造され、横漏れ又は物品の身体側表面の再湿潤を防ぐのに役立つことが好ましい場合がある。この特性は、本発明の第二態様でより具体的に記載され、これは以下でより詳細に論じられる。
【００５２】
第一態様と組み合わせてもよく、独立に用いてもよい本発明の第二態様では、外側領域は疎水性不織布材料で製造され、勾配コアを含む吸収性構造体及び外側領域は、少なくとも部分的に吸収性構造体上に位置する。
【００５３】
疎水性不織布材料は、好ましくは、例えばポリエチレン、ポリプロピレン並びにこれらの混合物及び組み合わせ（「ビコ（bico）」、即ち二成分繊維）等の大部分のプラスチック材料の場合のように、さらなる処理を必要としない本質的な疎水性であってよい。恐らく二成分繊維を含む種類の好適な疎水性材料は、芯部としてのポリプロピレン（ＰＰ）、鞘部としてのポリエチレン（ＰＥ）で製造される。かかるポリマーは、例えば、ペガスａ．ｓ（チェコ共和国）から、ＰＰ芯部７０％／ＰＥ鞘部３０％のポリマー比を有するものが入手可能である。この材料は２．０デニールの繊維デニール（長さ９０００ｍの単一繊維房の重量）及び約１８÷２０ミクロンの繊維直径を有する。ポリマー（ＰＰ、ＰＥ等）が天然に疎水性である場合、添加剤及び／又は処理を必要としない。本質的に疎水性ではない他の不織布材料は、例えば、疎水性成分を含む組成物の適用により処理することができる。
【００５４】
本発明の第二態様で用いられる疎水性外側領域は、勾配コアが存在する際、特に有用であることが見出された。勾配コアは、従来の吸収性コアより広い領域に、吸収した液体を広げる傾向を有することが見出された。結果として、従来のコアより、染みがコアの縁部に到達する可能性が高い。少なくとも部分的にコアの外側縁部上に位置する、本発明の第二態様で請求した外側領域は、物品の外側縁部上の体液の再湿潤からの障壁を提供することができる。これは、不織布材料の疎水性特性により、液体がそれらを横断し、物品の表面を再湿潤させることを防ぐことができるためである。エンボス加工が疎水性不織布を通って吸収性構造体への経路を提供することができるため、エンボス加工された外側疎水性領域を有することが好ましい場合がある。かかるエンボス加工は外側領域の抗再湿潤特性に大きな影響を与えないことが見出された。
【００５５】
本発明の第二態様では、疎水性不織布はまた、上記のように着色してもよい。これは、外側領域に染み被覆特性を更に提供するという、さらなる効果を有する。勾配コアの表面上の染みは低密度であるが大きいため、この被覆特性は、物品の外側領域に延在する下層の染みを少なくとも部分的に効率的に覆い隠すために特に有用であることが見出された。
【００５６】
吸収性構造体−勾配コア
本発明の物品は、トップシート１２とバックシート１４との間に配置される吸収性構造体（「コア」とも呼ばれる）１５を備える。本明細書で使用する時、「吸収性構造体」という用語は、尿、血液、経血、及び他の身体滲出液のような水性流体を、吸収、分配、及び貯蔵するために好適な材料又は材料の組み合わせを指す。
【００５７】
吸収性構造体の大きさ及び形状は、吸収能力要件を満たすように、並びに、着用者に快適性を提供するように変更することができる。本発明の物品の他の構成要素と同様に、吸収性構造体に対して特定の要件は存在せず、吸収性物品で使用するための、当該技術分野で既知である任意の標準的液体吸収性材料が通常好適である。しかしながら、上記のように吸収性構造体として勾配コアを使用することが好ましいことがある。
【００５８】
吸収性構造体として用いるのに好適な液体吸収性材料の非限定例には、一般にエアフェルトと呼ばれる粉砕木材パルプ；捲縮セルロース塊；ヒドロゲル形成性高分子ゲル化剤のような超吸収性ポリマー類を含む吸収性ゲル材料；化学的に剛化、変性、若しくは架橋されたセルロース繊維；コフォームを含むメルトブローンポリマー類；捲縮ポリエステル繊維を含む合成繊維；ティッシュラップ及びティッシュラミネートを含むティッシュ；毛管チャネル繊維；吸収性発泡体；吸収性スポンジ；合成ステープル繊維；ピートモス；若しくはいずれかの同等の材料；又はこれらの組み合わせが挙げられる。吸収性構造体は、物品自体のように、概して平面である、即ち厚さが著しく変動しない場合がある。
【００５９】
典型的には、吸収性構造体は製造の容易さのため矩形状である。しかしながら、異なる形状であってよく、例えば、中心が端部より狭く、足に快適に適合し、コアが塊になる又は丸まることを防ぐ又は最小限に抑える吸収性構造体を、着用者が好む場合が多い。楕円形状コアが提案されている（例えば、国際公開第２００５／０８４５９６号）。吸収性構造体に関するさらなる一般的及び特異的な情報は、例えば、国際公開第０２０７６６２号及び国際公開第０９１１９４７１号に見出すことができる。
【００６０】
本明細書で使用する時、「勾配コア」という用語は、通常エアレイド処理により得られる、垂直方向、即ちコアの底部に向かって液体をより速く獲得するために、垂直方向に異方性特性を備える吸収性構造体の種類を指す。これは、一般に、垂直方向に密度勾配又は毛管（通常両方）を有する一体型物品を提供することにより達成される。
【００６１】
本明細書で使用する時、「一体型」という用語は、物理的及び／又は化学的特性の潜在的な内部変動にもかかわらず、個々の層に分離できないように提供される単一構造を指す。巨視的な機械的手段又は接着手段により互いに接合される、多数の層から製造された吸収性構造体は周知であり、消費者が入手できる吸収性物品の実用的な実施形態においては珍しくない。しかしながら、かかる構造はまた、時に困難を伴うこともあるが再び互いから分離できる個々の層から形成されるため、本発明の意味において単一とは考えられない。
【００６２】
勾配コアの例は、以下の代表的な特許文書：国際公開第０３／０９０６５６号、米国特許公開第２００２／００７１６９号、国際公開第００／７４６２０号中に見出すことができる。国際公開第０３／０９０６５６号に言及されているように、勾配コアは通常、吸収性構造体の着用者面表面から衣類側表面に向かって密度勾配を示す。この勾配は、勾配コアの厚さ全体にわたって、上層の毛管が最も大きく、続いて下層に向かって大きさが減少する毛管の勾配と一致する。液体は材料内に追いやられ、そこから容易に放出されないが貯蔵コアに貯蔵されるため、毛管並びに密度勾配はどちらも吸収性能にとって特に有益である。これはまた、月経液又はかなり強く黄みがかった色を有する高齢者の尿のような液体が構造内に深く浸透するが、構造の水平面内に分配される前、これにより、従来の構造又は更には層の同じ組み合わせであるが互いに接着剤で結合されたものと比べて、同種の付着物に対して外側表面では目視で検出できる汚れの大きさが小さく見えるという点で、卓越した被覆効果を吸収性構造体にもたらすという驚くべき効果を有する。
【００６３】
好ましい種類の勾配コアは、国際公開第０３／０９０６５６号の教示に従って製造することができる。この種類の勾配コアは、一体型構造物であり、着用者面表面及び衣類側表面を有する。衣類側表面はバックシートに直接隣接し、着用者面表面はトップシートに直接隣接する。これらの勾配コアは、全ての層が単一熱的結合工程若しくは単一フェルト化工程又は両方の工程を組み合わせることにより一体型コアに一体化される、少なくとも三層の繊維性、成層、層状構造を有するが、好ましくは層間に接着剤を使用しない。
【００６４】
コアの好ましい好適なものは、
−着用者面表面を形成する第一最外層であって、二成分繊維及びセルロース又はビスコース繊維の混合物、好ましくは非軟化セルロース繊維から提供され、前記第一層がコア構造全体の１０〜３０％の重量分率を有する第一最外層と、
−コアの衣類側表面を形成する第二最外層であって、第二層がコア全体の３０〜５０％の重量分率を有する軟化処理セルロース繊維、及びコアの０〜２重量％の量のコアの衣類側表面上の表面結合剤、好ましくはラテックスにより提供される第二最外層と、
−第一及び第二層の間に挟まれた少なくとも１つの内層であって、内層が、非軟化セルロース繊維、所望により二成分繊維を含み、更に超吸収性材料を含み、内層がコア全体の３０％〜５０％の重量分率を有する内層と、を含む。
【００６５】
この種類の勾配コアは、コア層の二成分繊維及びコアの衣類側表面上の表面結合剤を除いて、結合剤材料を含まないことが好ましい。
【００６６】
バックシート１４
バックシート１４は、任意の可撓性、液体耐性及び液体不透過性材料であってよい。バックシートは、生理用ナプキンによって収集され収容される排出物、及びコアにより吸収される特定の排出物が、生理用ナプキンから漏れ、着用者の衣類及び寝具を汚すことを防ぐ。好ましくは、バックシートは騒音が少なく、着用者に裁量を提供する。幾つかの手法では、第二バックシート（以下で論じる）をコアとバックシートの中間に定置し、例えば、バックシートが液体不透過性を提供するのを助ける。
【００６７】
ポリオレフィン性フィルムのような、任意の従来のバックシート材料を本発明内で使用してよい。バックシートは、悪臭が漏れないように、吸収した身体排出物より発生する悪臭気体に対して不透過性であってよい。バックシートは通気性であってもよく、なくてもよい。厚さ約０．０１〜約０．０８ｍｍ、好ましくは約０．０５ｍｍの低密度ポリエチレンバックシートが通例である。トレデガー社（Tredegar Corporation）（テレホート（Terre Haute）、インディアナ州）よりモデルＸ−８１３として販売されているもののような、ポリエチレンフィルムを使用することができる。更に、バックシートは、トップシートに対して疎水性である、例えば、ポリエステル又はポリオレフィン性繊維バックシートのような、柔らかな布地のような材料で製造してよい。
【００６８】
トップシート及びバックシートは、生理用物品の周辺部全体がかかる接合により取り囲まれるように全体的に、又は周辺部において部分的に周辺的に接合するいずれかのように、既知の技術を用いて優先的に周辺的に接合する。「接合」という用語は、第一構成要素が第二構成要素に直接的に固定又は連結される、又は間接的に、第一構成要素が、順に第二構成要素に固定又は連結される中間構成要素に固定又は連結される状態を指す。第一構成要素と第二構成要素との間の接合状態は、生理用ナプキンの耐用期間中保持することを目的とする。逆に、破損又は意図しない全体の変形なく互いから脱離及び分離できる場合、構成要素は「着脱可能に固定された」と見なされる。
【００６９】
トップシートとバックシートの中間の吸収性構造体の捕捉を提供する任意の接合配置並びに一体型アセンブリが好適である。かかるアセンブリは、２つの互いに対向する主面を有し、１つはトップシートにより、もう１つはバックシートにより画定される。
【００７０】
バックシートの外向きに配向された（衣類に面する）面は、着用者の下着に生理用ナプキンを取り付けるための手段を更に含んでよい。感圧性接着剤は、この目的のために良好に機能することが一般的に見出されている。好ましくは、長手方向に配向された接着剤のストリップは、着用者の下着から脱離される生理用ナプキンの前側又は裏側のいずれかを良好に保護する。接着剤ストリップは連続的又は断続的であってよい。特に好ましい配置では、１つが長手方向中心線の各側にある、２つの長手方向に配向されたストリップを利用する。
【００７１】
バックシートは、典型的には、吸収性構造体全体にわたって延在し、サイドフラップ、サイドラッピング要素又は存在する場合ウィングまで延在し、これらの一部又は全体を形成することができる。
【００７２】
第二トップシート２０
本発明の物品は、所望により、トップシート１２と吸収性コア１５との中間に第二トップシート２０を含んでよい。
【００７３】
かかる第二層は、織布、不織布材料；有孔成形熱可塑性フィルム、有孔プラスチックフィルム、及びハイドロフォーミングされた熱可塑性フィルムのような高分子材料；多孔質発泡体；網状発泡体；網状熱可塑性フィルム；及び熱可塑性スクリムのような、広範囲の材料から製造することができる。トップシート用に本明細書で上部に記載した任意の材料を第二層に用いることができる。好ましい実施形態では、この第二トップシート層は、その表面全体上の有孔トップシートの下部に位置する、即ち、第二層は、第二層がトップシートの内表面全体上のトップシートの下部に位置するようにトップシートの周辺部に延在する。
【００７４】
第二トップシートの目的は、通常、獲得した体液をトップシートから吸収性コアに容易に移動させることであり、流体の移動は第二トップシートの厚さにおいて垂直方向にだけでなく、吸収性製品の長さ及び幅方向に沿っても発生する。これは、十分に利用されるように、下層の貯蔵層の液体容量を補助する。第二トップシートの存在は、好ましいが任意である。
【００７５】
第二バックシート２２
本発明の物品は、吸収性コア１５とバックシート層１４との中間に第二バックシート２２を備えてよい。第二バックシートの使用は、空気透過性バックシートの存在下で特に必要とされる。第二バックシートの目的は、空気流は自由に通過させながら、液体が吸収性コアから製品の外側へ通過するのを抑制する又は防ぐことである。第二バックシートの好ましい例は、弾力的三次元高分子ウェブであり、これは毛管又は円錐を形成する開口部を有する液体不透過性フィルムからなる。毛管又は円錐を備えるフィルムは、円錐の頂点が吸収性コアに面するように配向され、これは液体の通過を防ぐ。毛管又は円錐は、圧縮された場合部分的に又は完全に密閉されるために、傾斜した形状を有してよい。
【００７６】
剥離紙２４
バックシート表面上にコーティングされた接着剤は、典型的には、保護カバーを備え、これは使用前に取り外される。保護カバーは、シリコーンコーティングした剥離紙、プラスチックフィルム又は任意の他の容易に取り外しできるカバーであってよい。保護カバーは、一体成形又は例えば、個々の接着剤領域をカバーする多数の断片であってよい。これは、物品の個別包装を提供する、又は廃棄機能を提供するなどの、他の機能も実行し得る。任意の市販の剥離紙又はフィルムを使用してよい。好適な例としては、アクロシル社（Akrosil Corporation）から入手可能なＢＬ３０ＭＧ−Ａシロックス（SILOX）ＥＩ／Ｏ、ＢＬ３０ＭＧ−Ａシロックス（SILOX）４Ｐ／Ｏ、及びコード：Ｘ−５４３２としてグロナウ（Gronau）（ドイツ）から入手可能なＭ＆Ｗフィルムが挙げられる。
【００７７】
製造方法
本発明の吸収性物品は、エンボス加工（例えば、熱的接着）若しくは糊付け又は両方の組み合わせのような標準的な手段によりともに接合してよい、市販の標準的な物品に通常見出される通常の層又は構成要素を含んでよく、物品は従来の手段により工業的に製造してよい。
【００７８】
本明細書に開示する寸法及び値は、列挙した正確な数値に厳しく限定されるものとして理解されるべきでない。それよりむしろ、特に指定しない限り、それぞれのかかる寸法は、列挙された値とその値周辺の機能的に同等の範囲との両方を意味することを意図する。例えば、「４０ｍｍ」として開示された寸法は、「約４０ｍｍ」を意味することを意図する。
【００７９】
ＣＩＥ  Ｌ＊ａ＊ｂ＊カラースケール
ＣＩＥ  Ｌ＊ａ＊ｂ＊（又はシーラブ）カラースケールは、色を説明するために国際的に認められた三次元ベースシステムである。このシステムは、国際照明委員会−そのフランス語表記Ｃｏｍｍｉｓｓｉｏｎ  Ｉｎｔｅｒｎａｔｉｏｎａｌｅ  ｄｅ  ｌ’ＥｃｌａｉｒａｇｅからＣＩＥと略される−により採用された。ＣＩＥ  Ｐｕｂｌｉｃａｔｉｏｎ１５．２（１９８６）４条２項に、このカラースケールの詳細が記載されている。
【００８０】
ＣＩＥＬＡＢカラースペースは、上から下へ進むＬ＊軸並びに水平面に位置するａ＊及びｂ＊軸で形成される球形に体系化されている。図７を参照のこと。一般に、ＣＩＥ  Ｌ＊スケール値が、光反射率測定値の単位であり、より明るい色の材料が、より多くの光を反射するため、値が高い程、色は明るい。Ｌ＊スケールは、絶対的な黒色がスケールの最低値（Ｌ＝０）であり、絶対的な白色がスケールの最高値（Ｌ＝１００）である、１００の等しい単位区分を含む。故に、本発明による吸収性物品において使用される材料のＬ＊値の測定では、Ｌ＊スケール値が低い程、材料は暗くなる。ａ＊軸は赤／緑軸（＋ａ＊＝赤、−ａ＊＝緑）であり、一方ｂは黄／青（＋ｂ＊＝黄、−ｂ＊＝青）を表す。
【００８１】
Ｌ＊、ａ＊及びｂ＊値は、任意の好適な装置、例えば、Ｌ＊、ａ＊、ｂ＊の座標を提供し、それから２つの色点間のΔＥ値を測定することができる、比色計ミノルタモードＣＲ−３００機器（ミノルタ社、日本から入手可能）を用いて測定することができる。
【００８２】
対象の材料（例えば、外側領域又は中心領域）に関して請求又は本明細書で記載したＬ＊ａ＊ｂ＊値は、最終吸収性物品内でとられた材料上で測定され、また可能な限り、特に明記しない限り独立にその背景の材料上では測定されない。考えられる大部分の材料は幾らかの透明性を有するため、それらのＬ＊、ａ＊及びｂ＊値は下部の層によりある程度影響を受ける。
【００８３】
不透明度指数
外側領域を形成する不織布材料は、下層の染みを被覆することができるように、最小限の不透明度を有することが有利である。考えられる材料の不透明度は多くの要因により影響を受ける場合があり、主なものは繊維の性質、色素又は染料のような光吸収材料の存在、及び不織布材料の厚さである。色素は、それらが組み込まれる不織布材料の不透明度を向上させることができることが見出されている。
【００８４】
不織布材料の所与の試料の不透明度は、試料を通過する放射光の光線の通過及び例えば、標準的な分光光度計を用いる、得られた透過光の測定により特徴付けることができる。次いで、不透明度指数（Ｏ．Ｉ．）は以下のように定義することができる。
【数１】
2009532165.tif 000003
【００８５】
大部分の材料の場合、所与の材料又は基材の透過性が放射光の波長に依るために、用いる光の性質は、透過する光の量に影響を与える。比色計は、それ故、通常、異なる波長値で設定することができる発光体を備える。
【００８６】
本明細書で使用する不透明度指数は、赤色に見え、経血の外観をおおよそ再現したことが認められた、７４５ｎｍの波長に設定した装置で測定される。好適な装置は、例えば、パーキンエルマー（Perkin-Elmer）ラムダ２０紫外線可視分光光度計である。
【００８７】
本発明で用いられる不織布材料の不透明度指数は、７４５ｎｍの波長の光で測定した場合、５０％、６０％、７０％、８０％以上の値のうち少なくとも１つであってよい。
【００８８】
色素、特に着色色素の存在は、不織布材料の不透明度を向上させることが見出された。例えば、上記ペガス二成分繊維で製造した材料の不織布シートのＯ．Ｉ．は、紫色のパントーン色素（ＰＰ１．１重量％）で試験した。着色材料についての結果の平均（５反復）は８３．６％であった。
【００８９】
疎水性値
基材の疎水性の決定は、基材の表面に接触する脱イオン水滴により形成される接触角を測定することにより決定できる。提案した方法は、クリュス（Kruss）ＤＳＡ１００のような滴形状解析装置を使用し、これは自動的に平面及び垂直基材試料上にシリンジ３２を通して水滴３０を静かに置く。滴は６±１μＬの標準化容積を有する。測定は、通常、室温（２３℃）で行われる。この装置は、標準で、カメラ及び画像解析ソフトウェアを備えるコンピュータが取り付けられている。接触角αは、ヤング−ラプラス法によって自動的に測定される。α結果は、通常、少なくとも６滴の接触角測定の平均として表される。図８は、本測定方法による外側トップシートストリップ１６、１８として使用するのに好適な疎水性材料の表面上に配置された水滴を示す。
【００９０】
本明細書で使用する時、「疎水性」という用語は、この方法によりこの領域上の測定された接触角が少なくとも９０℃である不織布基材に適する。「親水性」は、９０℃以下の接触角に関連する。
【００９１】
本明細書は本発明を特定して指摘し明確に請求する請求項で完結するが、添付図面と共になされる好ましい実施形態についての次の説明により、本発明がよりよく理解されるであろうと考える。添付図面では、同一の要素は同じ参照番号によって識別される。
【図面の簡単な説明】
【００９２】
【図１】本発明による代表的な婦人衛生物品の斜視図。
【図２】図１の物品の分解図。
【図３】図１の実施形態の衣類側表面の平面図。
【図４】図１の物品の断面図。
【図５】図１の別の施形態の衣類側表面の平面図。
【図６】シーラブ系において色の表現のために用いられる色「球」（sphere）を示す。
【図７】Ｌ＝５０の場合の色球（colour sphere）の水平面を示す。
【図８】水滴の接触角を決定することにより、試料の疎水性をいかに測定することができるかを示す。
【図１】
2009532165.tif 000004
【図２】
2009532165.tif 000005
【図３】
2009532165.tif 000006
【図４】
2009532165.tif 000007
【図５】
2009532165.tif 000008
【図６】
2009532165.tif 000009
【図７】
2009532165.tif 000010
【図８】
2009532165.tif 000011
【国際調査報告】
2009532165.tif 000012
2009532165.tif 000013
2009532165.tif 000014
2009532165.tif 000015